(57)【特許請求の範囲】
【請求項１】
原稿を読取る読取部と、
前記読取部に読み取られた原稿の読取位置を示す位置情報を取得する位置取得部と、
前記位置情報と前記原稿の画像データに付加するファイル名との対応を記憶している記憶部と、
前記位置取得部が取得した位置情報に基づいて、前記読取部が読取った原稿の画像データに対して前記位置情報に対応するファイル名と、前記画像データを識別するための文字列と、を含む特定のファイル名を、前記画像データに付加する付加部と、
を備えることを特徴とする読取装置。
【請求項２】
原稿を読取る読取部と、
前記読取部に読み取られた原稿の読取位置を示す位置情報を取得する位置取得部と、
前記位置情報と前記原稿の画像データに付加する付加情報との対応を記憶している記憶部と、
前記位置取得部が取得した位置情報に基づいて、前記位置情報に対応する前記付加情報が１つである場合、前記画像データに対して当該１つの前記付加情報を付加し、前記位置情報に対応する付加情報が複数ある場合、前記画像データに対して当該複数の前記付加情報を付加する付加部と、を備えることを特徴とする読取装置。
【請求項３】
前記原稿を搬送する搬送部を備え、
前記付加部は、前記読取部が前記搬送部に搬送される複数の原稿を読み取ったときに、読み取った原稿の画像データ毎に、前記付加情報を付加することを特徴とする請求項１又は請求項２に記載の読取装置。
【請求項４】
原稿を読取る読取部と、
前記読取部に読み取られた原稿の読取位置を示す位置情報を取得する位置取得部と、
前記位置取得部が取得した位置情報に基づいて、前記読取部が読み取り可能な領域の中の原稿が属する原稿読取領域を判断する領域判断部と、
前記原稿が属する原稿読取領域の面積を測定する測定部と、
前記測定部が測定した複数の原稿読取領域のうち、少なくとも一つの原稿読取領域を選択する選択部と、
前記読取部が読み取った原稿の画像データに対して、前記選択部が選択した原稿読取領域に対応する処理を実行する画像処理部と、を備えることを特徴とする読取装置。
【請求項５】
前記選択部は、面積が最大となる原稿読取領域を選択することを特徴とする請求項４に記載の読取装置。
【請求項６】
原稿を読取る読取部と、
前記読取部に読み取られた原稿の読取位置を示す位置情報を取得する位置取得部と、
前記位置取得部が取得した位置情報に基づいて、前記読取部が読み取り可能な領域の中の原稿が属する原稿読取領域を判断する領域判断部と、
隣り合う原稿読取領域に異なる分類に属する処理を実行する画像処理部であって、前記読取部が読取った原稿の画像データに対して、前記原稿の属する原稿読取領域に対応する処理を実行する画像処理部と、を備えることを特徴とする読取装置。
【請求項７】
原稿を読取る読取部と、
前記読取部に読み取られた原稿の読取位置を示す位置情報を取得する位置取得部と、
前記位置取得部が取得した位置情報に基づいて、前記読取部が読み取り可能な領域の中の原稿が属する原稿読取領域を判断する領域判断部と、
前記読取部の主走査方向における複数の原稿読取領域に共通する分類に属する処理を実行し、前記読取部の副走査方向おける複数の原稿読取領域に、前記主走査方向における分類とは異なる共通する分類に属する処理を実行し、一つの原稿読取領域において複数の処理を実行する画像処理部であって、前記読取部が読み取った原稿の画像データに対して、前記原稿の属する原稿読取領域に対応する処理を実行する画像処理部と、を備えることを特徴とする読取装置。
【請求項８】
前記画像処理部は、前記読取部の主走査方向おける複数の原稿読取領域毎に、異なる処理を実行することを特徴とする請求項４〜７のいずれか一項に記載の読取装置。
【請求項９】
前記画像処理部は、前記読取部の副走査方向おける複数の原稿読取領域毎に、異なる処理を実行することを特徴とする請求項４〜８のいずれか一項に記載の読取装置。
【請求項１０】
原稿を読取る読取部を備える読取装置と接続可能な情報処理装置であって、
前記読取部に読み取られた原稿の読取位置を示す位置情報を取得する位置取得部と、
前記位置情報と前記原稿の画像データに付加するファイル名との対応を記憶している記憶部と、
前記位置取得部が取得した位置情報に基づいて、前記読取部が読取った原稿の画像データに対して前記位置情報に対応するファイル名と、前記画像データを識別するための文字列と、を含む特定のファイル名を、前記画像データに付加する付加部と、
を備えることを特徴とする情報処理装置。
【請求項１１】
原稿を読取る読取部を備える読取装置と接続可能な情報処理装置であって、
前記読取部に読み取られた原稿の読取位置を示す位置情報を取得する位置取得部と、
前記位置取得部が取得した位置情報に基づいて、前記読取部が読み取り可能な領域の中の原稿が属する原稿読取領域を判断する領域判断部と、
前記原稿が属する原稿読取領域の面積を測定する測定部と、
前記測定部が測定した複数の原稿読取領域のうち、少なくとも一つの原稿読取領域を選択する選択部と、
前記読取部が読み取った原稿の画像データに対して、前記選択部が選択した原稿読取領域に対応する処理を実行する画像処理部と、を備えることを特徴とする情報処理装置。
【請求項１２】
原稿を読取る読取部を備える読取装置と接続可能な情報処理装置に、
前記読取部に読み取られた原稿の読取位置を示す位置情報を取得する位置取得処理と、
前記位置取得処理において取得した位置情報に基づいて、前記読取部が読取った原稿の画像データに対して前記位置情報に対応するファイル名と、前記画像データを識別するための文字列と、を含む特定のファイル名を、前記画像データに付加する付加処理と、
を実行させることを特徴とするプログラム。
【請求項１３】
原稿を読取る読取部を備える読取装置と接続可能な情報処理装置に、
前記読取部に読み取られた原稿の読取位置を示す位置情報を取得する位置取得処理と、
前記位置取得処理において取得した位置情報に基づいて、前記読取部が読み取り可能な領域の中の原稿が属する原稿読取領域を判断する領域判断処理と、
前記原稿が属する原稿読取領域の面積を測定する測定処理と、
前記測定処理において測定した複数の原稿読取領域のうち、少なくとも一つの原稿読取領域を選択する選択処理と、
前記読取部が読み取った原稿の画像データに対して、前記選択処理において選択された原稿読取領域に対応する処理を実行する画像処理と、
を実行させることを特徴とするプログラム。
【請求項１４】
原稿を読取る読取部を備える読取装置と情報処理装置とが接続されている読取システムであって、
前記読取装置は、
前記読取部に読み取られた原稿の読取位置を示す位置情報を取得する位置取得部を備え、
前記情報処理装置は、
前記位置取得部が取得した位置情報に基づいて、前記読取部が読取った原稿の画像データに対して前記位置情報に対応するファイル名と、前記画像データを識別するための文字列と、を含む特定のファイル名を、前記画像データに付加する付加部を備えることを特徴とする読取システム。
【請求項１５】
原稿を読取る読取部を備える読取装置と情報処理装置とが接続されている読取システムであって、
前記読取装置は、
前記読取部に読み取られた原稿の読取位置を示す位置情報を取得する位置取得部と、
前記位置取得部が取得した位置情報に基づいて、前記読取部が読み取り可能な領域の中の原稿が属する原稿読取領域を判断する領域判断部と、
前記原稿が属する原稿読取領域の面積を測定する測定部と、
前記測定部が測定した複数の原稿読取領域のうち、少なくとも一つの原稿読取領域を選択する選択部と、を備え、
前記情報処理装置は、
前記読取部が読み取った原稿の画像データに対して、前記選択部が選択した原稿読取領域に対応する処理を実行する画像処理部と、
を備えることを特徴とする読取システム。
【発明の詳細な説明】
【技術分野】
【０００１】
本発明は、読み取った画像データに情報を付加する画像読取装置の技術に関する。
【背景技術】
【０００２】
従来、原稿から読み取った画像情報の予め定められた所定の位置に対応する部分の文字を認識し、認識された文字と読み取った画像情報とを対応付けて記憶することで、検索に使用するタイトルや検索キーワードが登録できる画像情報処理装置が提案されている。
【先行技術文献】
【特許文献】
【０００３】
【特許文献１】特開平７−９３３４８号公報
【発明の概要】
【発明が解決しようとする課題】
【０００４】
上記技術のように、読み取った画像データに情報を付加する技術は公知であるが、さらに簡便に画像データに対して情報を付加する技術が期待されている。
そこで、本発明は、画像データにキーワード等を付加する技術として、上記技術とは異なる方法を提供する。
【課題を解決するための手段】
【０００５】
この目的を達成するために、第１の技術の読取装置は、原稿を読取る読取部と、前記読取部に読み取られた原稿の読取位置を示す位置情報を取得する位置取得部と、前記読取部が読取った原稿の画像データに前記位置情報に対応する動作をする動作部と、を備えることを特徴とする。
【０００６】
第２の技術の読取装置は、前記動作部が付加情報を付加する付加部であることを特徴とするものである。
【０００７】
第３の技術の読取装置は、前記位置取得手段が取得した位置情報に基づいて、前記読取部が読み取り可能な領域の中の原稿の属する原稿読取領域を判断する領域判断部を備え、前記動作部は、前記原稿読取領域に対応する動作をするものである。
【０００８】
第４の技術の読取装置は、前記付加部は、前記領域判断部が複数の原稿読取領域に原稿を有すると判断したときに、各々の原稿読取領域に対応する動作をすることを特徴とするものである。
【０００９】
第５の技術の読取装置は、前記原稿が属する原稿読取領域の面積を測定する測定部と、前記測定部が測定した複数の原稿読取領域のうち、少なくとも一つの原稿読取領域を選択する選択部と、を備え、前記動作部は、前記選択部が選択した原稿読取領域に対応する動作をすることを特徴とするものである。
【００１０】
第６の技術の読取装置は、前記選択部は、面積が最大となる原稿読取領域を選択することを特徴とするものである。
【００１１】
第７の技術の読取装置は、前記動作部は、隣り合う原稿読取領域に異なる分類に属する動作をすることを特徴とするものである。
【００１２】
第８の技術の読取装置は、前記動作部は、前記読取部の主走査方向における複数の原稿読取領域に共通する分類に属する動作をし、前記読取部の副走査方向おける複数の原稿読取領域に、前記主走査方向における分類とは異なる共通する分類に属する動作をし、一つの原稿読取領域において複数の動作することを特徴とするものである。
【００１３】
第９の技術の読取装置は、前記動作部は、前記読取部の主走査方向おける複数の原稿読取領域毎に、異なる動作をすることを特徴とするものである。
【００１４】
第１０の技術の読取装置は、前記動作部は、前記読取部の副走査方向おける複数の原稿読取領域毎に、異なる動作をすることを特徴とするものである。
【００１５】
第１１の技術の読取装置は、前記動作部は、前記読取部が一度の読み取りにおいて複数の原稿を読み取ったときに、読み取った原稿の画像データ毎に、動作をすることを特徴とするものである。
【００１６】
第１２の技術の情報処理装置は、原稿を読取る読取部を備える読取装置と接続可能な情報処理装置であって、前記読取部に読み取られた原稿の読取位置を示す位置情報を取得する位置取得部と、前記読取部が読取った原稿の画像データに前記位置情報に対応する動作をする動作部と、を備えることを特徴とするものである。
【００１７】
第１３の技術のプログラムは、原稿を読取る読取部を備える読取装置と接続可能な情報処理装置に、前記読取部に読み取られた原稿の読取位置を示す位置情報を取得する位置取得処理と、前記読取部が読取った原稿の画像データに前記位置情報に対応する動作をする動作処理と、を実行させることを特徴とするものである。
【００１８】
第１４の技術の読み取りシステムは、原稿を読取る読取部を備える読取装置と情報処理装置とが接続されている読取システムであって、前記読取部に読み取られた原稿の読取位置を示す位置情報を取得する位置取得部と、前記読取部が読取った原稿の画像データに前記位置情報に対応する動作をする動作部と、を備えることを特徴とするものである。
【発明の効果】
【００１９】
第１の技術の読取装置によれば、読取装置の読取部に読み取られた原稿の位置情報に応じた動作がされるので、原稿の画像データにユーザが容易に所望の動作をさせることができる。
【００２０】
第２の技術の読取装置によれば、読取装置の読取部に読み取られた原稿の位置情報に応じて付加情報が付加されるので、ユーザが容易に所望の付加情報を原稿の画像データに付加することができる。
【００２１】
第３の技術の読取装置によれば、特定の画像読取領域に対応する動作をするため、ユーザ所望の付加情報が画像データに付加される可能性を高めることができる。
【００２２】
第４の技術の読取装置によれば、読取装置の読取部に読み取られた原稿の位置情報に基づき、原稿の属する各々の原稿読取領域に対応する動作をすることができるので、原稿の画像データに異なる複数の動作をすることができる。
【００２３】
第５の技術の読取装置によれば、選択された読取領域に対応する付加情報を少なくとも一つ付加することができる。
【００２４】
第６の技術の読取装置によれば、面積が最大となる原稿読取領域に対応する動作がユーザ所望の動作である可能性が高いので、読取装置の読取部に読み取られた原稿の属する原稿読取領域のうち面積が最大となる原稿読取領域に対応する動作をする。
【００２５】
第７の技術の読取装置によれば、共通する分類に属する付加情報が隣り合う原稿読取領域に対応する動作をすることによって、共通する分類に属する動作が干渉し合って、矛盾の生じる動作をする可能性がある。そこで、異なる分類に属する動作を隣り合う原稿読み取り領域に対応する動作をすることで、そのようなリスクを小さくすることができ、ユーザの利便性を高めることができる。
【００２６】
第８の技術の読取装置によれば、読取部の主走査方向おける複数の原稿読取領域と、副走査方向おける複数の原稿読取領域とが、異なる共通する種類の付加情報とを有することで、ひとつの原稿読取領域に複数の動作をすることができる。このため、ユーザは１回の読取操作で、画像データに対して複数の動作をすることができる。
【００２７】
第９の技術の読取装置によれば、読取部の主走査方向おいて異なる動作をするので、読取部を副走査方向に操作することないＡＤＦ（Ａｕｔｏ  Ｄｏｃｕｍｅｎｔ  Ｆｅｅｄｅｒ）のような、読取部を移動させず原稿を搬送しながら画像を読み取るタイプの読取装置にも適用可能となる。
【００２８】
第１０の技術の読取装置によれば、読取部の副走査方向おける複数の原稿読取領域毎に異なる動作をすることができるので、読取部を副走査方向に操作するＦＢ（Ｆｌａｔ  Ｂｅｄ）のような、原稿を載置して読取部を移動しながら画像を読み取るタイプの読取装置にも適用可能となる。
【００２９】
第１１の技術の読取装置によれば、読取部が一度に複数の原稿を読み取っても、それぞれの原稿の画像データに対して、それぞれの動作をすることができるので、ユーザの利便性が増す。
【図面の簡単な説明】
【００３０】
【図１】本発明が適用された複合機１の外観を示す図面である。
【図２】複合機１のスキャナ部３の構成を示す断面図である。
【図３】本発明が適用された複合機１の電気的な構成を表すブロック図の図面である。
【図４】第１の実施形態におけるキーワード設定画面の一例を示す図面である。
【図５】第１の実施形態における読取領域とキーワードとの関係を示す図面である。
【図６】第１の実施形態におけるスキャン処理の流れを示したフローチャートの図面である。
【図７】写真Ｐ１を示す図面である。
【図８】写真Ｐ２を示す図面である。
【図９】写真Ｐ３を示す図面である。
【図１０】第１の実施形態におけるＦＢガラス８に載置された写真Ｓの一例を示す図面である。
【図１１】第１の実施形態における画像データに関連するデータの一覧表を示す図面である。
【図１２】第１の実施形態におけるＦＢガラス８に載置された写真Ｐと読取領域との位置関係を示す図面である。
【図１３】第２の実施形態におけるキーワード及びファイル名設定画面の一例を示す図面である。
【図１４】第２の実施形態におけるＦＢガラス８に載置された写真Ｐと読取領域との位置関係を示す図面である。
【図１５】第２の実施形態におけるスキャン処理の流れを示したフローチャートの図面である。
【図１６】第２の実施形態における画像データに関連するデータの一覧表を示す図面である。
【図１７】第３の実施形態におけるキーワード設定画面の一例を示す図面である。
【図１８】第３の実施形態におけるスキャン処理の流れを示したフローチャートの図面である。
【図１９】第３の実施形態における原稿トレイ２２の主走査方向上側に載置された写真Ｐと読取領域との位置関係を示す図面である。
【図２０】第３の実施形態における原稿トレイ２２の主走査方向下側に載置された写真Ｐと読取領域との位置関係を示す図面である。
【図２１】第１の実施形態におけるキーワード設定画面の変形例を示す図面である。
【図２２】第１の実施形態の変形例における読取領域とキーワードとの関係を示す図面である。
【発明を実施するための形態】
【００３１】
以下，本発明にかかる画像読取装置を具体化した実施の形態について，添付図面を参照しつつ詳細に説明する。本形態は，スキャナ機能，プリンタ機能，コピー機能，ファクシミリ機能等を備えた複合機に本発明を適用したものである。
【００３２】
＜第１の実施形態＞
まず、本発明の画像形成装置における第１の実施形態について説明する。
（複合機の構成)
本形態の複合機１は，図１に示すように，用紙に画像を印刷する画像形成部３８を内部に備えた本体部２と，原稿の画像を読み取るスキャナ部３（本発明の読取装置の一例）とを備えている。なお，画像形成方式は，電子写真方式であっても，インクジェット方式であってもよい。また，カラー画像の形成が可能であっても，モノクロ画像専用であってもよい。 
【００３３】
スキャナ部３には，前面側に，液晶ディスプレイ等の表示部４や各種のボタン等を備えた操作パネル５が設けられ，この操作パネル５により動作状況の表示やユーザによる操作の入力が可能になっている。
【００３４】
スキャナ部３は，図２に示すように，原稿の画像の読み取りを行う画像読取部６（本発明の読取部の一例）と，その上方を開閉可能に覆うとともに原稿の自動搬送を行うＡＤＦ（Ａｕｔｏ  Ｄｏｃｕｍｅｎｔ  Ｆｅｅｄｅｒ）７とを備えている。画像読取部６は，その上面に位置する２枚の透明なプラテンガラス８，９と，その内部に位置するイメージセンサ１４とを備えている。
【００３５】
イメージセンサ１４は，ＣＩＳ（Ｃｏｎｔａｃｔ  Ｉｍａｇｅ  Ｓｅｎｓｏｒ）方式のものであり，ＣＭＯＳ撮像素子１５と，レンズからなる光学素子１６と，ＲＧＢの発光ダイオードからなる光源（図示せず）とを備えている。ＣＭＯＳ撮像素子１５は，主走査方向（搬送方向に直交方向）に一列に並んで配置された複数のフォトダイオードから構成され，光源によって原稿に光を照射したときの反射光を光学素子１６を介して個々のＣＭＯＳ撮像素子１５で受光し，画素ごとに反射光の光強度（明度）を電気信号に変換して出力する。
【００３６】
ＡＤＦ７は，読み取り前の原稿を載置する原稿トレイ２２と，読み取り後の原稿を載置する排出トレイ２３とを備えている。具体的に，原稿トレイ２２は，排出トレイ２３の上方に配設されている。また，ＡＤＦ７の内部には，原稿トレイ２２と排出トレイ２３とを連結する搬送路２４が設けられている。ＡＤＦ７は，原稿トレイ２２に載置された原稿を１枚ずつ取り出し，その原稿をプラテンガラス９（以下，「ＡＤＦガラス９」とする）に対向する位置に搬送する。その後，その原稿を排出トレイ２３上に排出する。
【００３７】
尚、原稿の読取方式としては，フラットベッド（原稿固定走査）方式と，ＡＤＦ（原稿移動走査）方式とがある。フラットベッド方式の場合，原稿を１枚ずつプラテンガラス８（以下，「ＦＢガラス８」とする）上に載置する。その状態で，イメージセンサ１４が副走査方向（主走査方向に直交方向，図２の矢印Ａ方向）に移動し，その際に主走査方向に１ラインずつ原稿の画像が読み取られる。一方，ＡＤＦ方式の場合，原稿を纏めて原稿トレイ２２に載置する。そして，イメージセンサ１４がＡＤＦガラス９に対向する位置に移動し，固定される。その状態で，原稿がＡＤＦガラス９に対向する位置に搬送され，その際に主走査方向に１ラインずつ原稿の画像が読み取られる。
【００３８】
（複合機の電気的構成）
続いて，複合機１の電気的構成について説明する。複合機１は，図３に示すように、ＣＰＵ３１（本発明の位置取得部、動作部、付加部、領域判断部、測定部、選択部の一例）と、ＲＯＭ３２と、ＲＡＭ３３と、ＮＶＲＡＭ３４と、ＡＳＩＣ３５と、ネットワークインタフェース（ネットワークＩ／Ｆ）３６と、ファクシミリインタフェース（ＦＡＸＩ／Ｆ）３７と、画像形成部３８と、可搬記憶媒体３９とを備えた制御装置３０を有している。
【００３９】
ＲＯＭ３２には，ユーザがあらかじめキーワードを設定しておくためのユーザインターフェース（ＵＩ）、複合機１を制御するための各種制御プログラムや各種設定，初期値等が記憶されている。ＲＡＭ３３やＮＶＲＡＭ３４は，各種制御プログラムが読み出される作業領域として，あるいは画像データや画像データ数をカウントするカウンタi、ＵＩに
より設定されたキーワード等を記憶する記憶領域として利用される。尚、ユーザがあらかじめキーワードを設定しておくためのキーワード設定方法について、後述にて詳細に説明する。
【００４０】
ＡＳＩＣ３５は，画像形成部３８，スキャナ部３，操作パネル５等と電気的に接続されている。ＣＰＵ３１は，ＲＯＭ３２から読み出した制御プログラムに従って，その処理結果をＲＡＭ３３又はＮＶＲＡＭ３４に記憶させながら，ＡＳＩＣ３５を介して複合機１の各構成要素（例えば，ＡＤＦ７の搬送路２４を構成する各種ローラの駆動モータ（図示せず）やイメージセンサ１４の移動用モータ（図示せず））を制御する。
【００４１】
ネットワークＩ／Ｆ３６には，情報機器が接続され，このネットワークＩ／Ｆ３６を介して相互のデータ通信が可能になっている。また，ＦＡＸＩ／Ｆ３７は，電話回線に接続され，このＦＡＸＩ／Ｆ３７を介して外部のファクシミリ装置等とデータ通信が可能になっている。
【００４２】
複合機１は、可搬記憶媒体３９と接続可能であり、ＵＳＢメモリやＳＤカード等の可搬記憶媒体には、キーワード等の付加された画像データが記憶される。
【００４３】
（キーワード設定方法）
ＦＢガラス８上の複数に割り振った読取領域に位置情報としてのキーワードを設定する際の方法を説明する。尚、図４は、キーワード設定画面（設定ＵＩ）の一例を示す図面である。
複合機１は、ネットワークＩ／Ｆ３６を介して、パーソナルコンピュータ（ＰＣ、図示せず）と接続されており、ＣＰＵ３１がＲＯＭ３２に保存されている図４のＵＩを読み出し、ネットワークＩ／Ｆ３６を介してＰＣに送信する。そして、ＰＣの表示部（図示せず）にこのＵＩを表示させる。ユーザはこの設定ＵＩ上でＰＣのキーボード等（図示せず）の入力手段を操作し、各々の読取領域にキーワードを入力する。
【００４４】
例えば、ユーザが、左上に「父」、右上に「母」、左下に「兄」、右下に「妹」、と図４のキーワード設定画面にＰＣのキーボード等の入力手段を介してキーワードを入力し、「ＯＫ」ボタンを押下する。「ＯＫ」ボタンを押下されたことにより、ＣＰＵ３１は、図４のＵＩに設定されたキーワードと、ＦＢガラス８における読取領域の位置情報を図５のように関連付け、当該位置情報をネットワークＩ／Ｆ３６を介してＲＡＭ３３に保存する。
【００４５】
具体的に図５では、ＦＢガラス８が主走査方向（図５における縦方向）に２分割され（点線で示す）、また副走査方向（図５における横方向）が２分割されることで（点線で示す）、ＦＢガラス８が４つの読取領域に分割されている。ＣＰＵ３１は、この４つに分割された読取領域（本発明の原稿読取領域の一例）に、ＲＡＭ３３に保存されたキーワードと読取領域の位置情報との関連付けに基づいて、左上の読取領域に「父」、右上の読取領域に「母」、左下の読取領域に「兄」、右下の読取領域に「妹」、のキーワードをそれぞれ設定する。
【００４６】
（スキャン処理）
図６は、本発明のスキャン処理の流れを示したフローチャートである。本発明のスキャン処理について図６を参照しながら、説明する。尚、ここではフラットベット方式のスキャン処理を説明する。
【００４７】
ＦＢガラス８上に原稿が載置され、ユーザが操作パネル５を操作することでスキャン処理を開始すると、まずＣＰＵ３１は、イメージセンサ１４が副走査方向に移動することで画像読取部６がＦＢガラス８上を一度読み取ることで載置された原稿から画像データを読み取り、読み取った画像データをＲＡＭ３３に保存する（Ｓ１０１）。
【００４８】
次に、ＣＰＵ３１は、ＲＡＭ３３に保存された画像データから、一度の読み取りによって読み取られた複数の原稿に基づく各々の画像データを特定し、特定された各々の画像データに対して、１から順に番号を付加し、ＲＡＭ３３に記憶する（Ｓ１０２）。例えば、それぞれの原稿の末端を検出することで、各々の画像データを特定する。
【００４９】
また、ＣＰＵ３１は、Ｓ１０２において、各々の画像データに番号を付加する際に、画像データに付加した番号のうち、最大の番号を全画像データ数としてＲＡＭ３３に記憶させる。また、ＣＰＵ３１は、番号を付加した各々の画像データのピクセル数と、各々の読取領域に属するピクセル数とから、各々の読取領域の画像データにおいて占める割合を表す被占有率を求め、求めた被占有率を各々の画像データに関連付けてＲＡＭ３３に記憶させる。
【００５０】
ＣＰＵ３１は、ＲＡＭ３３に保存されているカウンタiに１を記憶させて、初期化する
（Ｓ１０３）。続いて、ＣＰＵ３１は、カウンタiの値と同じ番号を付加した画像データ
がどの読取領域にあるのかを、ＲＡＭ３３に記憶されているファイル化した画像データの各々の読取領域における被占有率に基づいて判断する（Ｓ１０４）。
【００５１】
Ｓ１０４において、読取領域における被占有率が０でない全ての読取領域に対応するキーワードをカウンタiの値と同じ番号を付加した画像データに付加する（Ｓ１０５）。上
記の処理により、ＣＰＵ３１は、画像データとキーワードとを関連付ける。その後、キーワードが関連付けられた画像データを可搬記憶媒体３９に保存する。
【００５２】
さらに、ＣＰＵ３１は、ＲＡＭ３３に保存されているカウンタiに１加算して（Ｓ１０
６）、カウンタiの値がＲＡＭ３３に保存されている全画像データ数より大きいか判断し
（Ｓ１０７）、カウンタiの値が全画像データ数より大きい場合（Ｓ１０７：ＹＥＳ）、
スキャン処理を終了する。一方、カウンタiの値が全画像データ数以下の場合（Ｓ１０７
：ＮＯ）、Ｓ１０４に戻り、Ｓ１０４〜Ｓ１０７の処理を繰り返す。
【００５３】
ここで、上記スキャン処理を具体的に説明する。例えば、Ｓ１０１において、図７〜図９にある原稿の一例である写真Ｐを図１０のようにＦＢガラス８に載置して、これら三枚の写真Ｐを画像読取部６が一度に読み取る場合、図７〜図９の三枚の写真Ｐは、１つの画像データとして画像読取部６に読取られ、ＲＡＭ３３に一時的に保存される。
【００５４】
次に、Ｓ１０２において、ＣＰＵ３１は、図７〜図９の三枚の写真Ｐの画像データから、写真Ｐの端部を検出することにより、写真Ｐを一枚毎に認識し、認識された三枚の写真Ｐを各々の画像データとして、ＲＡＭ３３に保存する。尚、図７は写真Ｐ１、図８は写真Ｐ２、図９は写真Ｐ３を示した図である。
【００５５】
このとき、図１１に示すように各々の画像データは、図７の写真Ｐ１の画像データには番号「１」が付加され、図８の写真Ｐ２の画像データには番号「２」が付加され、図９の写真Ｐ３の画像データには番号「３」が付加される。また、この番号を付加するときに、Ｓ１０１においてスキャンした画像データから認識された各々の画像データの総数が「３」とわかるので、ＲＡＭ３３に記憶されている全画像データ数として「３」が記憶されることとなる。
【００５６】
尚、Ｓ１０１の前に、ユーザがあらかじめ図４のキーワード設定画面のようなＵＩでキーワードを入力していると、各々のＦＢガラス８上の読取領域には図５に示すようにキーワードが設定され、図１０のように写真ＰをＦＢガラス８に載置すると、各々の読取領域と写真Ｐとの位置関係は、図１２のようになる。
【００５７】
Ｓ１０３及びＳ１０４において、図１１と図１２より、番号「１」の画像データは、左上の読取領域に３０％、左下の読取領域に７０％占有されていると判断される。このとき、Ｓ１０５において、左上の読取領域に対応するキーワードが「父」であり、左下の読取領域に対応するキーワードが「兄」であるので、番号「１」の画像データには「父」と「兄」との２つのキーワードが付加されることになる。ここで、キーワードの付加は、例えば、画像データの中にキーワードを埋め込むか、又は、画像データとキーワードとを関連付けたテーブルを作成し、保存する。
【００５８】
番号「１」の画像データに対して、該当する全ての読取領域に対応するキーワードの付加が終わると、Ｓ１０６において、カウンタiに１を加算して、次の番号「２」の画像データに対して、該当する全ての読取領域に対応するキーワード付加をする（Ｓ１０４及びＳ１０５）。そして、カウンタiの値がＲＡＭ３３に記憶されている全画像データ数「３
」より大きくなるまで、番号「１」の画像データに対する同様の処理を繰り返す（Ｓ１０４からＳ１０７）。
【００５９】
尚、番号「２」のデータを番号「１」の画像データに対する同様の処理をすると、左上の読取領域に１００％占有されていることとなる。このとき、左上の読取領域に対応するキーワードが「父」であり、他の読取領域には占有されていないので、番号「２」の画像データには「父」のキーワードだけが付加されることになる。
【００６０】
また、番号「３」の画像データは、左上の読取領域に３０％、右上の読取領域に４５％、左下の読取領域に１５％、右下の読み取り領域に１０％占有されていることとなる。このとき、左上の読取領域に対応するキーワードが「父」であり、右上の読取領域に対応するキーワードが「母」であり、左下の読取領域に対応するキーワードが「兄」であり、右下の読取領域に対応するキーワードが「妹」であるので、番号「３」の画像データには「父」と「母」と「兄」と「妹」との４つのキーワードが付加されることになる。
【００６１】
（本実施形態の効果）
スキャナ部３の画像読取部６に読み取られた原稿である写真Ｐの位置情報に応じて、画像データに付加情報であるキーワードが付加されるので、ユーザが容易に所望のキーワードを写真Ｐの画像データに付加することができる。
【００６２】
また、特定の読取領域に対してキーワードが付加されるため、ユーザ所望の付加情報が画像データに付加される可能性を高めることができる。
【００６３】
さらに、スキャナ部３の画像読取部６に読み取られた写真Ｐの位置情報に基づき、写真Ｐの属する各々の読取領域に対応する各々のキーワードを写真Ｐの画像データに付加することができるので、写真Ｐの画像データに異なる複数のキーワードを一度の読み取りで付加することができる。
【００６４】
さらに、画像読取部６の副走査方向おける複数の読取領域毎に異なるキーワードを付加することができるので、画像読取部６のイメージセンサ１４を副走査方向に走査するＦＢのような、写真Ｐを載置してイメージセンサ１４を移動しながら画像を読み取るタイプのスキャナ部３にも適用可能となる。
【００６５】
画像読取部６が一度に複数の写真Ｐを読み取っても、それぞれの写真Ｐの画像データに対して、それぞれのキーワードが付加できるので、ユーザの利便性が増す。
【００６６】
＜第２の実施形態＞
次に、本発明の画像形成装置における第２の実施形態について説明する。尚、この第２の実施形態では、複合機の構成及び複合機の電気的構成は第１の実施形態と共通であるので説明を省略する。
【００６７】
（キーワード及びファイル名設定方法）
第２の実施形態においても、第１の実施形態と同様の方法にて、ＦＢガラス８上の複数に割り振った読取領域に位置情報としてのキーワード及びファイル名を設定する。尚、図１３は、キーワード及びファイル名設定画面（設定ＵＩ）の一例を示す図面である。
【００６８】
ここで、第１の実施形態と第２の実施形態とのキーワード設定に対する差異は、ＦＢガラス８上の主走査方向及び副走査方向それぞれの方向毎に対する、分割した読取領域に同種の分類に対する情報を設定する点である。即ち、主走査方向に対する分割した読取領域には分類としてのファイル名を設定可能であり、副走査方向に対する分割した読取領域には分類としてのキーワードが設定可能である。また、ファイルとキーワードとが異なる分類に属する付加情報の一例である。
【００６９】
複合機１は、第１の実施形態と同様に、ＰＣの表示部に表示される設定ＵＩ上でキーボード等の入力手段を操作し、各々の読取領域にキーワード及びファイル名を入力する。
例えば、図１３では、ユーザが、ファイル名として主走査方向の上側の読取領域に「Ｌｉｆｅ」、主走査方向の下側の読取領域に「Ｔｒｉｐ」を入力する。また、ユーザがキーワードとして、副走査方向の左側の読取領域に「大人」、副走査方向の右側の読取領域に「子供」を入力し、「ＯＫ」ボタンを押下する。
【００７０】
「ＯＫ」ボタンを押下されたことにより、ＣＰＵ３１は、図１３のＵＩに設定されたキーワード及びファイル名と、ＦＢガラス８における読取領域の位置情報を図１４のように関連付け、当該位置情報をネットワークＩ／Ｆ３６を介してＲＡＭ３３に保存する。
【００７１】
具体的には、図１４に示すように、主走査方向の上側の読取領域には「Ｌｉｆｅ」、主走査方向の下側の読取領域には「Ｔｒｉｐ」のファイル名が設定される。また、副走査方向の左側の読取領域には「大人」、副走査方向の右側の読取領域には「子供」のキーワードが設定される。
【００７２】
（スキャン処理）
次に、第２の実施形態におけるスキャン処理を説明する。ここでは、第１の実施形態のスキャン処理と同様の処理を実行する部分の詳細な説明を適宜省略しながら、異なる処理を実行する部分について図１４〜図１６を参照しながら説明する。
【００７３】
Ｓ１０１〜Ｓ１０４について第１の実施形態のスキャン処理と同様の処理を実行し、Ｓ１０４に続いて、ＣＰＵ３１は、カウンタiの値と同じ番号を付加した画像データに、主
走査方向の読取領域だけに着目して、主走査方向の読取領域における被占有率が最大となる読取領域に対応するファイル名を付加する（Ｓ２０１）。
【００７４】
次に、ＣＰＵ３１は、カウンタiの値と同じ番号を付加した画像データに、副走査方向
の読取領域だけに着目して、副走査方向の読取領域における被占有率が０でない全ての副走査方向の読取領域に対応するキーワード付加し（Ｓ２０２）、ファイル名とキーワードが付加された画像データを可搬記憶媒体３９に保存し、第１の実施形態と同様にＳ１０６以降のスキャン処理を実行し、第１の実施形態と同様にＲＡＭ３３内の全画像データに対して処理を実行したことに応じて、当該スキャン処理を終了する。
【００７５】
ここで、上記スキャン処理を具体的に説明する。Ｓ１０１の前に、ユーザがあらかじめ図１３のキーワード設定画面のようなＵＩでキーワードを入力していると、各々のＦＢガラス８上の読取領域には図１４に示すようにキーワードが設定される。このとき、図１４のように写真ＰをＦＢガラス８に載置すると、各々の読取領域と写真Ｐとの位置関係は、図１４のようになる。
尚、ここでの写真Ｐは第１の実施形態で用いた、図７から図９に示す写真Ｐ１からＰ３を用い、第１の実施形態と同様に、写真Ｐ１には番号「１」が、写真Ｐ２には番号「２」が、写真Ｐ３には番号「３」がそれぞれ付加され、それぞれ画像データとしてＲＡＭ３３に記憶される（Ｓ１０１から１０３）。
【００７６】
次に、図１５のＳ１０４において、図１４に示す写真Ｐの載置状態により、番号「１」の画像データは、主走査方向の上側の読取領域に１５％、主走査方向の下側の読取領域に８５％、副走査方向の左側の読取領域に４５％、副走査方向の右側の読取領域に５５％占有されていると判断される。このとき、Ｓ２０１において、ファイル名には主走査方向の読取領域における被占有率が最大となる「Ｔｒｉｐ」が選択されるので、「Ｔｒｉｐ１．ｊｐｇ」のファイル名が付加される。また、Ｓ２０２において、「大人」と「子供」との２つのキーワードが付加される。
【００７７】
尚、番号「２」のデータを番号「１」の画像データに対する同様の処理をすると、番号「２」の画像データは、主走査方向の下側の読取領域の被占有率が１００％、副走査方向の右側の読取領域の被占有率が１００％占有されていることになる。このとき、主走査方向の下側の読取領域に対応する「Ｔｒｉｐ」がファイル名として選択されるが、番号「１」の画像データのファイル名「Ｔｒｉｐ１．ｊｐｇ」と同じファイル名にならないように、番号だけずらして、「Ｔｒｉｐ２．ｊｐｇ」のファイル名が付加される。また、Ｓ２０２において、「大人」のキーワードが付加される。
【００７８】
また、番号「３」の画像データは、主走査方向の上側の読取領域に８０％、主走査方向の下側の読取領域に２０％、副走査方向の左側の読取領域に１００％占有されていることとなる。このとき、ファイル名には「Ｌｉｆｅ」が選択され、「Ｌｉｆｅ１．ｊｐｇ」のファイル名が付加される。また、Ｓ２０２において、「大人」と「子供」との２つのキーワードが付加される。
以上の各画像データの状態を図１６に示したデータの一覧表に示す。このように画像データ毎にファイル名及びキーワードが付加され、各画像データは可搬記憶媒体３９に各々記憶される。
【００７９】
（第２の実施形態における効果）
【００８０】
面積が最大となる読取領域に対応するファイル名がユーザ所望のファイル名である可能性が高いので、スキャナ部３の画像読取部６に読み取られた写真Ｐの属する読取領域のうち面積が最大となる読取領域に対応するファイル名を、写真Ｐの画像データに付加する。
【００８１】
画像読取部６の主走査方向おける複数の読取領域と、副走査方向おける複数の読取領域とが、異なる共通する分類（ファイル名及びキーワード）を有することで、ひとつの読取領域に複数の分類を付加することができる。このため、ユーザは１回の読取操作で、画像データに対して複数の分類を付加することができる。
【００８２】
＜第３の実施形態＞
次に、本発明の画像形成装置の第３の実施形態について説明する。尚、この第２の実施形態では、複合機の構成及び複合機の電気的構成は第１の実施形態と共通であるので説明を省略する。
【００８３】
（キーワード設定方法）
第３の実施形態においても、第１の実施形態と同様の方法にて、ＡＤＦ方式のスキャンにおけるＡＤＦガラス９の主走査方向を複数に分割した読取領域に位置情報としてのキーワードを設定する。尚、図１７は、キーワード及びファイル名設定画面（設定ＵＩ）の一例を示す図面である。
【００８４】
第３の実施形態では、ＡＤＦガラス９を分割した読取領域に位置情報としてのキーワードを設定し、副走査方向に分割する読取領域には何も設定しない。即ち、本実施形態ではＡＤＦ７を用いたＡＤＦ方式のスキャンを想定した実施形態であり、以下の処理では主走査方向に分割された読取領域に設定されたキーワードのみを使用する。
【００８５】
複合機１は、第１の実施形態と同様に、ＰＣの表示部に表示される設定ＵＩ上でキーボード等の入力手段を操作し、各々の読取領域にキーワードを入力する。
例えば、図１７では、ユーザが主走査方向の上側の読取領域に「父」、主走査方向の下側の読取領域に「兄」を入力し、「ＯＫ」ボタンを押下する。これにより、主走査方向の上側の読取領域には「父」のキーワードが設定され、主走査方向の下側の読取領域には「兄」のキーワードが設定され、ＲＡＭ３３に保存する。
【００８６】
（スキャン処理）
第３の実施形態は、本発明をＡＤＦ方式のスキャン処理に適用したものであり、第１の実施形態と第２の実施形態とのスキャン処理と同様の処理を実行する部分の詳細な説明を適宜省略しながら、異なる処理を実行する部分について図１８〜図２０を参照しながら説明する。
【００８７】
図１８のＳ１０１において、図１９又は図２０のように原稿を原稿トレイ２２に載置して操作パネル５を操作すると、ＡＤＦ７は、原稿トレイ２２に載置された原稿を矢印方向へ１枚ずつ取り出し、その原稿をＡＤＦガラス９に対向する位置に搬送する。その後、ＡＤＦガラス９に対向する位置において、画像読取部６が写真Ｐを読み取る。
【００８８】
次に、ＣＰＵ３１は、画像読取部６が原稿を読み取った読取領域に対応するキーワードを画像データに付加し（Ｓ１０５）、給紙センサの値を検出することで原稿トレイ２２に原稿が無いか判断し（Ｓ３０１）、原稿トレイ２２に原稿がある場合（Ｓ３０１：ＮＯ）、Ｓ１０１に戻る。一方、原稿トレイ２２に原稿がない場合（Ｓ３０１：ＹＥＳ）、スキャン処理を終了する。
【００８９】
ここで、上記スキャン処理を具体的に説明する。図１８のＳ１０５において、図１９のように主走査方向の上側に寄せて写真Ｐが載置された場合、ＡＤＦ７に搬送された写真ＰがＡＤＦガラスを２分割したときの上側の部分で読み取られることになり、原稿が主走査方向の上側の読取領域に読み取られることで、主走査方向の上側の読取領域に対応する「父」のキーワードが付加される。
【００９０】
また、図２０のように主走査方向の下側に寄せて写真Ｐが載置された場合、ＡＤＦ７に搬送された写真Ｐは、ＡＤＦガラスを２分割したときの下側の部分で読み取られることになる。つまり、原稿は、主走査方向の下側の読取領域に読み取られるので、主走査方向の下側の読取領域に対応する「兄」のキーワードが付加される。
【００９１】
尚、本実施形態のＡＤＦ７では原稿トレイ２２の主走査方向上側又は下側に原稿を寄せて載置することで、搬送及び読み取りを実行することが可能である。また、複数の読取領域をまたいだ原稿を読み取る場合は、原稿のまたいだ複数の読取領域に対応するキーワードが付加される。例えば、図１９又は図２０において、写真Ｐ１が主走査方向の上側と下側とにまたいで原稿トレイ２２載置された場合、主走査方向の上側の読取領域に対応する「父」、主走査方向の下側の読取領域に対応する「兄」のキーワードの２つが付加される。
【００９２】
（本実施形態の効果）
また、画像読取部６の主走査方向おいて異なるキーワードを付加するので、画像読取部６のイメージセンサ１４を副走査方向に操作することないＡＤＦのような、イメージセンサ１４を移動させず原稿を搬送しながら画像を読み取るタイプのスキャナ部３にも適用可能となる。
【００９３】
＜他の実施形態＞
（１）図３のブロック図において、画像データを記録するのは、ＲＡＭ３３やＮＶＲＡＭ３４に限らず、ハードディスク等の記録媒体であってもよい。
（２）本発明の実施形態における付加情報は、キーワードやファイル名であったが、これに限らず他の付加情報を付加する実施形態であってもよい。具体的には、付帯情報が日時や保存先の変更情報、ファイル名の命名規則等であってもよい。また、キーワードとファイル名の関係が異なる分類に属する付加情報の一例であるが、本発明ではこれに限らず、日時、保存先の変更情報、ファイル名の命名規則等も異なる分類に属する付加情報の一例である。
（３）本発明の実施形態は、写真Ｐのように読取領域より小さい原稿に適用しているが、読取領域以上の大きさの原稿にも適用できる。特に、本発明の第２の実施形態のＳ２０１において、主走査方向の読取領域だけに着目して、主走査方向の読取領域における被占有率が最大となる読取領域に対応するファイル名を付加する実施形態が、読取領域より大きい原稿に適用した場合により大きな効果が得られる。尚、主走査方向に限らず、副走査方向に適用してもよく、その他の適用を制限するものではない。
（４）本発明の実施形態は、原稿をスキャンしてキーワードを付加情報として付加する実施形態であったが、原稿をスキャンするときのスキャンの設定を変更する動作をする実施形態であってもよい。具体的には、スキャンする場合に、各々の読取領域にカラースキャンとモノクロスキャンのような原稿をスキャンするときのスキャンの設定を変更する動作をしてもよいし、倍率を変更しないスキャンとＮｉｎ１のように倍率を変更するスキャンの設定を変更する動作をしてもよい。即ちこの場合は、各々の読取領域に上述した動作をすることで実現する。
（５）本発明の実施形態は、原稿をスキャンしてキーワードを付加情報として付加する実施形態であったが、原稿をスキャンした後の後続の処理内容を設定する動作をする実施形態であってもよい。具体的には、コピーの場合、各々の読取領域に普通印刷やＮｉｎ１印刷、ブックレット印刷等の印刷の種類を変更する動作をしてもよいし、フルカラー印刷、モノカラー印刷、モノクロ印刷等の印刷時の色を設定する動作をしてもよい。また、ＦＡＸの場合、各々の読取領域に送信先等を設定する動作をしてもよい。即ちこの場合も、各々の読取領域に上述した動作をすることで実現する。
（６）本発明の第１の実施形態は、ＦＢガラス８が主走査方向に２分割され、また副走査方向が２分割されることで、ＦＢガラス８が４つの読取領域に分割されている実施形態であったが、これに限らず他の方向で読取領域を分割してもよい。具体的には、ＦＢガラス８の対角線で分割される読取領域を設定する。また、分割する読取領域の数は４つに限らず、一つであっても複数であってもよい。
（７）本発明の第１の実施形態は、ＰＣの表示部（図示せず）にＵＩを表示させ、ユーザがＵＩ上でＰＣのキーボード等（図示せず）の入力手段を操作し、各読取り領域ごとにキーワードを入力する実施形態であったが、複合機１の表示部４にＵＩを表示させ、ユーザがＵＩ上で操作パネル５を操作し、各読取り領域ごとにキーワードを入力する実施形態であってもよい。
（８）本発明の第１の実施形態は、図５の「キーワード」のように、一つの共通の分類に属する付加情報を付加する実施形態であったが、「キーワード」と「ファイル名」といった異なる分類に属する付加情報を付加する実施形態であってもよい。
具体的には、ユーザが図２１のような各読取り領域ごとにキーワードを入力する設定画面にＰＣのキーボード等の入力手段を介してキーワードを入力し、「ＯＫ」ボタンを押下する。「ＯＫ」ボタンを押下されたことにより、ＣＰＵ３１は、図２１のＵＩに設定されたキーワードと、ＦＢガラス８における読取領域の位置情報を図２２のように関連付け、当該位置情報をネットワークＩ／Ｆ３６を介してＲＡＭ３３に保存する。
これにより、異なる分類に属する付加情報を隣り合う原稿読み取り領域に付加するため、共通する分類に属する付加情報が隣り合う読取領域に付加されることによって共通する分類に属する付加情報が干渉し合い画像データに付加される付加情報に矛盾の生じる可能性を小さくすることができ、ユーザの利便性を高めることができる。
（９）本発明の第２の実施形態は、Ｓ２０１において、主走査方向の読取領域における被占有率が最大となる読取領域に対応するファイル名を付加していたが、被占有率が最小となる読取領域に対応するファイル名を付加する実施形態としてもよい。また、最大、最小に限らず被占有率が特定の値又は特定の範囲となる読取領域に対応するファイル名を付加する実施形態であってもよい。
（１０）本発明の第１の実施形態のＳ１０５と本発明の第２の実施形態のＳ２０２とにおいて、読取領域における被占有率が０でない全ての読取領域に対応するキーワード付加していたが、被占有率が０でない全ての読取領域のうち選択部により選択された１又は２以上の読取領域に対応するキーワード付加する実施形態としてもよい。これにより、選択された読取領域に対応する付加情報を付加することができる。
（１１）本発明の実施形態は、読取装置に適応させた実施形態であったが、ＰＣ等の情報処理装置を動作させるプログラムに適応させた実施形態であってもよく、具体的には、第１の実施形態に当てはめた実施形態について、共通する部分を適宜省略しながら説明する。
本実施形態を、図６におけるスキャン処理をＰＣ等の情報処理装置において実行する場合を例に説明する。まず、ＰＣ等の情報処理装置のＣＰＵは、ハードディスク等の記憶装置に記憶されている本プログラムを呼び出すことにより以下の処理を行う。ＰＣのＣＰＵは、第１の実施形態のＳ１０１において読取装置で読み取った画像データをＰＣにて受け取り、ハードディスク等の記憶装置に記憶する。次に、ＰＣのＣＰＵは、ハードディスクに保存された画像データから、一度の読み取りによって読み取られた複数の原稿に基づく各々の画像データを特定し、特定された各々の画像データに対して、１から順に番号を付加し、ハードディスクに記憶する（Ｓ１０２）。
さらに、ＰＣのＣＰＵは、Ｓ１０１の画像データを第１の実施形態のように４分割にした読取領域のうちどの領域に原稿が位置するかの情報を読取装置から受け取り、各原稿の対応する位置を判断する。そして、ＰＣのＣＰＵは、読取領域における被占有率が０でない全ての読取領域に対応するキーワードを画像データに付加する（Ｓ１０５）。その後、ＰＣのＣＰＵは、キーワードが関連付けられた画像データをハードディスクに記憶する。
（１２）本発明の第１の実施形態における各々の画像データを特定する方法は、原稿の四隅や原稿の末端を検出することにより、各々の画像データを特定する方法でもよい。
（１３）本発明の実施形態は、読取装置と情報処理装置とから構成される読取システムにも適用可能であり、読取装置で読み取られた原稿の読取位置を示す位置情報を取得する位置取得部は、読取装置と情報処理装置とのどちらか一方が有していればよい。
【符号の説明】
【００９４】
１    読取装置
３    スキャナ部
６    画像読取部
８    ＦＢガラス
９    ＡＤＦガラス
１４  イメージセンサ
３１  ＣＰＵ
３３  ＲＡＭ
３９  可搬記憶媒体
Ｐ    写真
【図１】
0005510075.tif 000002
【図２】
0005510075.tif 000003
【図３】
0005510075.tif 000004
【図４】
0005510075.tif 000005
【図５】
0005510075.tif 000006
【図６】
0005510075.tif 000007
【図７】
0005510075.tif 000008
【図１３】
0005510075.tif 000009
【図１５】
0005510075.tif 000010
【図１７】
0005510075.tif 000011
【図１８】
0005510075.tif 000012
【図２１】
0005510075.tif 000013
【図２２】
0005510075.tif 000014
【図８】
0005510075.tif 000015
【図９】
0005510075.tif 000016
【図１０】
0005510075.tif 000017
【図１１】
0005510075.tif 000018
【図１２】
0005510075.tif 000019
【図１４】
0005510075.tif 000020
【図１６】
0005510075.tif 000021
【図１９】
0005510075.tif 000022
【図２０】
0005510075.tif 000023